(57)【要約】【課題】コントラストを悪化させることなく、透明電極への電力輸送ロスを低く抑えたプラズマディスプレイパネルを提供する。【解決手段】間に放電空間を形成するよう対向配置した一対の基板のうち、表示面側の基板（前面基板４）上に複数の透明電極１１を形成し、透明電極１１よりも低抵抗の導電層２３を透明電極１１上に形成したプラズマディスプレイパネルにおいて、透明電極１１と導電層２３との間に、導電層２３よりも反射率が低い反射抑制層２２を形成するとともに、導電層２３の一部を透明電極１１と接触させて電気的に導通するように構成した。【選択図】  図２
2005032467.tif 000002
【特許請求の範囲】
【請求項１】
間に放電空間を形成するよう対向配置した一対の基板のうち、表示面側の基板上に複数の透明電極を形成し、前記透明電極よりも低抵抗の導電層を前記透明電極上に形成したプラズマディスプレイパネルにおいて、前記透明電極と前記導電層との間に、前記導電層よりも反射率が低い反射抑制層を形成するとともに、前記導電層の一部を前記透明電極と接触させて電気的に導通するように構成したことを特徴とするプラズマディスプレイパネル。
【請求項２】
導電層の片側端部または両側端部において、前記導電層と透明電極とを接触させたことを特徴とする請求項１に記載のプラズマディスプレイパネル。
【請求項３】
反射抑制層は開口部を有し、前記開口部を介して導電層と透明電極とを接触させたことを特徴とする請求項１に記載のプラズマディスプレイパネル。
【発明の詳細な説明】
【０００１】
【発明の属する技術分野】
本発明は、画像表示デバイスなどに用いるプラズマディスプレイパネル（ＰＤＰ）に関するものである。
【０００２】
【従来の技術】
近年、プラズマ放電を用いた表示装置は各方面に広く使用されており、特にテレビ用やモニター用のプラズマ表示装置に関する技術の進歩は、目を見張るものがある。
【０００３】
図５は従来のＡＣ型のＰＤＰの一部構成を示す斜視図である。このＰＤＰは、前面パネル１と背面パネル２とを対向配置して周囲をシール剤により貼り合わせて構成されており、前面パネル１と背面パネル２との間に形成される放電空間３にネオンおよびキセノンなどからなる放電ガスを封入している。
【０００４】
前面パネル１は次のような構成である。すなわち、ガラス製の基板である前面基板４上に、ストライプ状の走査電極５とストライプ状の維持電極６とからなる表示電極７を複数形成し、隣接する表示電極７の間にブラックストライプ８を形成している。そして、表示電極７およびブラックストライプ８を覆うように誘電体層９を形成し、誘電体層９上に保護層１０を形成している。なお、走査電極５および維持電極６はそれぞれ、透明電極１１とその上に形成された導電層１２とにより構成されている。
【０００５】
また、背面パネル２は次のような構成である。すなわち、ガラス製の基板である背面基板１３上に、走査電極５および維持電極６と直交するようにストライプ状のアドレス電極１４を複数形成し、アドレス電極１４を覆うように下地誘電体層１５を形成している。そして、この下地誘電体層１５上であってアドレス電極１４の間に位置するように、アドレス電極１４と平行な隔壁１６を設け、隔壁１６の間に蛍光体層１７を形成している。
【０００６】
走査電極５および維持電極６とアドレス電極１４とが交差する部分には放電セルが形成される。走査電極５、維持電極６およびアドレス電極１４にそれぞれ所定の電圧を印加して各放電セルで放電を発生させ、その放電で発生する紫外線を受けて蛍光体層１７が可視光を発光することにより、前面パネル１側に画像が表示される。
【０００７】
図５のＡ−Ａ線で切った断面図である図６に示すように、導電層１２は、黒色顔料を含む材料からなる第１の導電層１２ａと、銀（Ａｇ）のような電気抵抗値の低い導電性材料からなる略白色の第２の導電層１２ｂとから構成され、透明電極１１上に第１の導電層１２ａを形成し、第１の導電層１２ａ上に第２の導電層１２ｂを形成している。低抵抗の第２の導電層１２ｂは透明電極１１に電力を供給する役割を有しており、電力供給電源（図示せず）から放電に必要な電力を、輸送ロスを抑えて各放電セルに供給するためには、第２の導電層１２ｂを透明電極１１上に直に形成したいところであるが、第２の導電層１２ｂは略白色であるので、透明電極１１上に直に第２の導電層１２ｂを形成した場合、第２の導電層１２ｂによって外光反射が起こるためコントラストが悪化し、表示画像の品質が悪くなる。このため、透明電極１１と略白色の第２の導電層１２ｂとの間に黒色の第１の導電層１２ａを設けることによってコントラストが悪化することを防止している（例えば、特許文献１参照）。
【０００８】
【特許文献１】
特開平１１−２７３５７８号公報
【０００９】
【発明が解決しようとする課題】
ところで、第１の導電層１２ａを形成するための材料として、例えば従来から黒色化によく用いられる鉄・ニッケル・コバルトなどの無機顔料（黒色顔料）をＡｇに混合したものを用いることにより、第１の導電層１２ａの黒色化が可能である。
【００１０】
しかしながら、コントラストを重視する場合には、黒色顔料の混合比を高くした材料を用いて第１の導電層１２ａを形成したいところであるが、そのようにすると第１の導電層１２ａの抵抗値が高くなって導電性が悪くなり、逆に導電性を重視する場合には第１の導電層１２ａにおける黒色顔料の混合比を低くすることになるが、このときはコントラストが悪くなる。このように、第１の導電層１２ａの導電性を確保することとコントラストを確保することの双方を両立させることは困難であった。
【００１１】
本発明は、このような課題を解決するためになされたものであり、コントラストを悪化させることなく、透明電極への電力輸送ロスを低く抑えたプラズマディスプレイパネルを提供することを目的とする。
【００１２】
【課題を解決するための手段】
上記の目的を達成するために、本発明は、間に放電空間を形成するよう対向配置した一対の基板のうち、表示面側の基板上に複数の透明電極を形成し、前記透明電極よりも低抵抗の導電層を前記透明電極上に形成したプラズマディスプレイパネルにおいて、前記透明電極と前記導電層との間に、前記導電層よりも反射率が低い反射抑制層を形成するとともに、前記導電層の一部を前記透明電極と接触させて電気的に導通するように構成したことを特徴とするプラズマディスプレイパネルである。
【００１３】
【発明の実施の形態】
すなわち、本発明の請求項１に記載の発明は、間に放電空間を形成するよう対向配置した一対の基板のうち、表示面側の基板上に複数の透明電極を形成し、前記透明電極よりも低抵抗の導電層を前記透明電極上に形成したプラズマディスプレイパネルにおいて、前記透明電極と前記導電層との間に、前記導電層よりも反射率が低い反射抑制層を形成するとともに、前記導電層の一部を前記透明電極と接触させて電気的に導通するように構成したことを特徴とするプラズマディスプレイパネルである。
【００１４】
また、請求項２に記載の発明は、請求項１に記載の発明において、導電層の片側端部または両側端部において、前記導電層と透明電極とを接触させたことを特徴とする。
【００１５】
また、請求項３に記載の発明は、請求項１に記載の発明において、反射抑制層は開口部を有し、前記開口部を介して導電層と透明電極とを接触させたことを特徴とする。
【００１６】
以下、本発明の一実施の形態について、図１〜図４の図面を用いて説明する。なお、図１〜図４において、図５および図６に示す部分と同一部分については同一番号を付している。
【００１７】
図１は、本発明の一実施の形態によるＰＤＰの一部を示す断面図である。このＰＤＰは、前面パネル１８と背面パネル２とを対向配置して周囲をシール剤（図示せず）により貼り合わせて構成されており、前面パネル１８と背面パネル２との間に形成される放電空間３にネオンおよびキセノンなどからなる放電ガスを封入している。本実施の形態によるＰＤＰが、図５および図６に示した従来のＰＤＰと異なる点は走査電極および維持電極の構成であり、背面パネル２の構成は同じであるため、その説明を省略する。
【００１８】
本実施の形態のＰＤＰにおいて、前面パネル１８は次のような構成である。すなわち、間に放電空間３を形成するように対向配置した一対のガラス基板である前面基板４と背面基板１３のうち、表示面側の基板である前面基板４上に、ストライプ状の走査電極１９とストライプ状の維持電極２０とからなる表示電極２１を複数形成し、隣接する表示電極２１の間にブラックストライプ８を形成しており、表示電極２１は、背面基板１３上に形成されたアドレス電極１４と直交する方向に形成されている。そして、表示電極２１およびブラックストライプ８を覆うように、放電に必要な電気絶縁層となる誘電体層９を形成し、誘電体層９を覆うように保護層１０を形成している。保護層１０は、放電空間３で発生する放電による衝撃から誘電体層９を保護するためのものであり、例えば酸化マグネシウム（ＭｇＯ）により形成される。
【００１９】
図２は、走査電極１９および維持電極２０を拡大して示す断面図である。図２に示すように、走査電極１９および維持電極２０は、それぞれ、インジウムスズ酸化物（ＩＴＯ）などからなる透明電極１１と、透明電極１１上に形成された反射抑制層２２と、反射抑制層２２を覆うように形成された導電層２３とから構成されている。反射抑制層２２は例えば鉄・ニッケル・コバルトなどの黒色顔料を含む材料を用いて形成されている。また、導電層２３は透明電極１１よりも低抵抗であり、導電層２３はＡｇなどの電気抵抗値の低い導電性材料を用いて形成されている。このため、反射抑制層２２は黒色であり、導電層２３は略白色であり、反射抑制層２２は導電層２３よりも光の反射率が低い。そして、透明電極１１と導電層２３とは、導電層２３の導通接触部２３ａによって接触しているので電気的に導通している。なお図２では、導電層２３の両側端部において導通接触部２３ａにより透明電極１１と導電層２３とを接触させているが、導電層２３の両側端部のうちどちらか一方の端部（片側端部）において透明電極１１と導電層２３とを接触させるように導通接触部２３ａを設けてもよい。
【００２０】
このように構成されたＰＤＰにおいては、走査電極１９および維持電極２０とアドレス電極１４との交差部に放電セルが形成され、それぞれの放電セルには、赤色、緑色および青色となるように蛍光体層１７が一色ずつ順番に配置されている。そして、赤色、緑色および青色の蛍光体層１７が隣接して配置された３つの放電セルにより１つの画素を構成する。
【００２１】
図３は、図１および図２を用いて説明したＰＤＰに駆動回路を接続して構成した画像表示装置の概略構成を示すブロック図である。図３に示すように、ＰＤＰ２４のアドレス電極１４にアドレス電極駆動部２５が接続され、ＰＤＰ２４の走査電極１９に走査電極駆動部２６が接続され、ＰＤＰ２４の維持電極２０に維持電極駆動部２７が接続されている。
【００２２】
そして、このようなＰＤＰを用いて構成した画像表示装置では、アドレス電極１４と走査電極１９との間に書き込みパルスを印加することにより、アドレス電極１４と走査電極１９との間でアドレス放電を行い、放電セルを選択した後、走査電極１９と維持電極２０との間に、交互に反転する周期的な維持パルスを印加することにより、走査電極１９と維持電極２０との間で維持放電を行い、この維持放電によって蛍光体層１７の発する光が前面パネル１８を透過して表示面側に放射されることにより、カラー画像が表示される。
【００２３】
ここで、本実施の形態では図２に示すように、透明電極１１上に黒色の反射抑制層２２を形成し、反射抑制層２２を覆うように略白色の導電層２３を形成することにより、走査電極１９および維持電極２０を構成しており、透明電極１１と導電層２３との間に反射抑制層２２を設けることにより、導電層２３によるコントラストの低下を防止している。また、導電層２３はＡｇなどの電気抵抗値の低い導電性材料を用いて形成されており、各放電セルでの放電に必要な電力を透明電極１１に安定して供給するためのものである。本実施の形態では、導通接触部２３ａによって透明電極１１と導電層２３とを電気的に導通接触させているので、各放電セルでの放電に必要な電力を、走査電極１９および維持電極２０それぞれに接続された駆動回路から導電層２３、導通接触部２３ａを介して透明電極１１に極めて少ないロスで供給することができる。また、導通接触部２３ａの透明電極１１との接触面積を必要最小限に抑えることができるので、導通接触部２３ａによるコントラストの低下を最小限に抑えることができる。
【００２４】
また、図６に示した従来のＰＤＰの場合には、第２の導電層１２ｂと透明電極１１とを低抵抗で導通させるために、第１の導電層１２ａを薄く形成する必要がある。これに対して、本実施の形態による走査電極１９および維持電極２０の構成によれば、透明電極１１と導電層２３とは、導通接触部２３ａによって電気導通性が確保されるので、反射抑制層２２を厚く形成することができる。また、反射抑制層２２を形成するための材料中に、Ａｇのような導電性材料を混入する必要がなくなる。これらのことからコントラストを向上させることができる。
【００２５】
また、従来のＰＤＰでは、第１の導電層１２ａを形成するための材料として、黒色であって適度な導電性を有する酸化ルテニウムが使用されることもあるが、本実施の形態においては反射抑制層２２が導電性を有している必要はないので、反射抑制層２２を形成するための材料として酸化ルテニウムのような高価な導電性材料を使用する必要がなくなる。したがって、反射抑制層２２は、導電性に制限されることなく、コントラスト向上のために黒色性を追求した安価な材料を用いて形成することが可能となる。
【００２６】
図４は、本発明のＰＤＰにおいて走査電極および維持電極の他の構成例を拡大して示す断面図であり、走査電極および維持電極の構成以外については図１を用いて説明したものと同じである。図４に示すように、走査電極２８および維持電極２９は、ＩＴＯなどからなる透明電極１１と、透明電極１１上に形成された反射抑制層３０と、反射抑制層３０上に形成された導電層３１とから構成されている。反射抑制層３０は、その中間部分に開口部を有しており、その反射抑制層３０の開口部を導電層３１が埋めることにより導通接触部３１ａが形成されている。すなわち、透明電極１１と導電層３１とは、反射抑制層３０の開口部を介して接触しており、電気的に導通している。反射抑制層３０は例えば鉄・ニッケル・コバルトなどの黒色顔料を含む材料を用いて形成されており、導電層３１はＡｇなどの電気抵抗値の低い導電性材料を用いて形成されている。このため、反射抑制層３０は黒色であり、導電層３１は略白色であり、反射抑制層３０は導電層３１よりも光の反射率が低い。このように、透明電極１１と導電層３１との間に反射抑制層３０を設けることにより、導電層３１によるコントラストの低下を防止している。
【００２７】
図４に示すＰＤＰの場合も、導通接触部３１ａによって透明電極１１と導電層３１とを電気的に導通接触させているので、各放電セルでの放電に必要な電力を、走査電極２８および維持電極２９それぞれに接続された駆動回路から導電層３１、導通接触部３１ａを介して透明電極１１に極めて少ないロスで供給することができる。また、導通接触部３１ａの透明電極１１との接触面積を必要最小限に抑えることができるので、導通接触部３１ａによるコントラストの低下を最小限に抑えることができる。
【００２８】
また、図４に示す走査電極２８および維持電極２９の構成によれば、透明電極１１と導電層３１とは、導通接触部３１ａによって電気導通性が確保されるので、反射抑制層３０を厚く形成することができる。また、反射抑制層３０を形成するための材料中に、Ａｇのような導電性材料を混入する必要がなくなる。これらのことからコントラストを向上させることができる。
【００２９】
また、反射抑制層３０が導電性を有している必要はないので、反射抑制層３０を形成するための材料として酸化ルテニウムのような高価な導電性材料を使用する必要がなくなる。したがって、反射抑制層３０は、導電性に制限されることなく、コントラスト向上のために黒色性を追求した安価な材料を用いて形成することが可能となる。
【００３０】
さらに、図４に示す走査電極２８および維持電極２９の構成では、導電層３１の幅ａを、反射抑制層３０の幅（開口部を含めた幅）と同じにしているが、導電層３１の幅ａを反射抑制層３０の幅よりも小さく設定してもよい。その場合、導電層３１を形成するとき、その形成位置が多少ずれたとしても、それが反射抑制層３０の幅内であって導通接触部３１ａが形成されれば問題にならず、導電層３１を形成しやすくなる。
【００３１】
なお、上記の説明で用いた「黒色」という用語は、必ずしも濃淡の全くない黒に限定されるものではなく、白色の背景に対して視覚的にコントラストを示すような黒い色または暗色も含むものである。
【００３２】
【発明の効果】
以上のように本発明によれば、コントラストを低下させることなく、透明電極への電力輸送ロスを低く抑えたプラズマディスプレイパネルを提供することができる。
【図面の簡単な説明】
【図１】本発明の一実施の形態によるプラズマディスプレイパネルの一部を示す断面図
【図２】同プラズマディスプレイパネルの走査電極および維持電極を拡大して示す断面図
【図３】同プラズマディスプレイパネルを用いた画像表示装置の一例を示すブロック図
【図４】同プラズマディスプレイパネルの走査電極および維持電極の他の構成例を示す断面図
【図５】従来のプラズマディスプレイパネルの一部構成を示す斜視図
【図６】図５においてＡ−Ａ線で切った断面図
【符号の説明】
４  前面基板
１１  透明電極
１３  背面基板
２２、３０  反射抑制層
２３、３１  導電層
【図１】
2005032467.tif 000003
【図２】
2005032467.tif 000004
【図３】
2005032467.tif 000005
【図４】
2005032467.tif 000006
【図５】
2005032467.tif 000007
【図６】
2005032467.tif 000008